(57)【要約】【課題】読者への情報提供や募集を容易に行なうことが可能な冊子体とネットワークを用いた情報提供方法および募集方法を提供すること。【解決手段】冊子体に、１冊ごとに個別に選択されたＩＤコードを外見不能に設けると同時に前記ＩＤコードのデータベースを作成し、ネットワーク上のサーバーに情報データと、前記ＩＤコードのデータベースと、前記ＩＤコードの入力を受け前記ＩＤコードの正否を判断して前記情報データをダウンロードさせダウンロードと同時に前記ＩＤコードを無効にするプログラムとを設けてなることを特徴とする。【選択図】図３
2004192102.tif 000002
【特許請求の範囲】
【請求項１】
冊子体に、１冊ごとに個別に選択されたＩＤコードを外見不能に設けると同時に前記ＩＤコードのデータベースを作成し、ネットワーク上のサーバーに情報データと、前記ＩＤコードのデータベースと、前記ＩＤコードの入力を受け前記ＩＤコードの正否を判断して前記情報データをダウンロードさせダウンロードと同時に前記ＩＤコードを無効にするプログラムとを設けてなることを特徴とする冊子体とネットワークを利用した情報提供方法。
【請求項２】
１つごとに個別に選択されたＩＤコードを添付物に設けると同時に前記ＩＤコードのデータベースを作成し、冊子体に前記添付物を外見不能に綴じ込むか封入し、ネットワーク上のサーバーに情報データと、前記ＩＤコードのデータベースと、前記ＩＤコードの入力を受け前記ＩＤコードの正否を判断して前記情報データをダウンロードさせダウンロードと同時に前記ＩＤコードを無効にするプログラムとを設けてなることを特徴とする冊子体とネットワークを利用した情報提供方法。
【請求項３】
冊子体に、１冊ごとに個別に選択されたＩＤコードを外見不能に設けると同時に前記ＩＤコードのデータベースを作成し、ネットワーク上のサーバーに前記ＩＤコードのデータベースと、前記ＩＤコードの入力を受け前記ＩＤコードの正否を判断して応募者のデータを入力させ前記ＩＤコードのデータベースに応募者のデータを追加すると同時に前記ＩＤコードを無効にするプログラムとを設けてなることを特用とする冊子体とネットワークを利用した募集方法。
【請求項４】
１つごとに個別に選択されたＩＤコードを添付物に設けると同時に前記ＩＤコードのデータベースを作成し、冊子体に前記添付物を外見不能に綴じ込むか封入し、ネットワーク上のサーバーに前記ＩＤコードのデータベースと、前記ＩＤコードの入力を受け前記ＩＤコードの正否を判断して応募者のデータを入力させ前記ＩＤコードのデータベースに応募者のデータを追加すると同時に前記ＩＤコードを無効にするプログラムとを設けてなることを特用とする冊子体とネットワークを利用した募集方法。
【請求項５】
冊子体に、１冊ごとに個別に選択されたＩＤコードを外見不能に設けると同時に前記ＩＤコードのデータベースを作成し、ネットワーク上のサーバーに情報データと、前記ＩＤコードのデータベースと、前記ＩＤコードの入力を受け前記ＩＤコードの正否を判断して前記情報データをダウンロードさせダウンロードと同時に前記ＩＤコードを無効にし続いて応募者のデータを入力させ前記ＩＤコードのデータベースに応募者のデータを追加するプログラムとを設けてなることを特徴とする冊子体とネットワークを利用した情報提供方法および募集方法。
【請求項６】
１つごとに個別に選択されたＩＤコードを添付物に設けると同時に前記ＩＤコードのデータベースを作成し、冊子体に前記添付物を外見不能に綴じ込むか封入し、ネットワーク上のサーバーに情報データと、前記ＩＤコードのデータベースと、前記ＩＤコードの入力を受け前記ＩＤコードの正否を判断して前記情報データをダウンロードさせダウンロードと同時に前記ＩＤコードを無効にし続いて応募者のデータを入力させ前記ＩＤコードのデータベースに応募者のデータを追加するプログラムとを設けてなることを特徴とする冊子体とネットワークを利用した情報提供方法および募集方法。
【請求項７】
前記情報データは複数であって、前記プログラムはいくつかの情報データから選択させることが可能であることであることを特徴とする請求項１、２、５、６のいずれか記載の冊子体とネットワークを利用した情報提供方法。
【請求項８】
前記応募されるものは複数であって、前記プログラムはいくつかの応募されるものから選択させることが可能であることを特徴とする請求項３〜６のいずれか記載の冊子体とネットワークを利用した情報提供方法および募集方法。
【発明の詳細な説明】
【０００１】
【発明の属する技術分野】
本発明は書籍、雑誌等でＩＤコードを配布し、その読者に限定してネットワークを通じて画像データ等の情報を提供するかまたは懸賞等の応募を行なう冊子体とネットワークを利用した情報提供方法または募集方法に関する。
【０００２】
【従来の技術】
コンピュータネットワーク及び通信技術の発展により携帯端末よりネットワークに接続可能になってきているが、ネットワーク上での情報の提供や発信などは不特定多数を対象としたものが主であった。クローズドサイトなどの案内を別の媒体で行なうことでその母集団を限定するといったことが行われているが、そのＵＲＬなどの情報が漏洩などした場合は意味の無いものになってしまう。また、キーワードなどにより管理する方法もあるが、不便さを感じるものとなってしまっていた。
【０００３】
一方、書籍、雑誌等の冊子体の読者に限定して懸賞応募やアンケートなどを集約するには、冊子に添付したアンケート用紙により行われているが、記入し、郵送する必要があり読者としては不便さを感じるものであったため回収率が悪いものとなっている。特に読者に限定した情報発信などを行なう場合であっても、先のアンケート用紙に住所等を記入してもらった上で郵送する必要があり、このアンケート用紙を集計して読者のデータベース等を作成する必要があり、不便さを感じるものであった。
【０００４】
【発明が解決しようとする課題】
本発明はこのような問題点を解決するためになされたものであり、その課題とするところは、読者への情報提供や募集を容易に行なうことが可能な冊子体とネットワークを用いた情報提供方法および募集方法を提供することにある。
【０００５】
【課題を解決するための手段】
本発明はこの課題を解決するため、すなわち請求項１記載の発明は、冊子体に、１冊ごとに個別に選択されたＩＤコードを外見不能に設けると同時に前記ＩＤコードのデータベースを作成し、ネットワーク上のサーバーに情報データと、前記ＩＤコードのデータベースと、前記ＩＤコードの入力を受け前記ＩＤコードの正否を判断して前記情報データをダウンロードさせダウンロードと同時に前記ＩＤコードを無効にするプログラムとを設けてなることを特徴とする冊子体とネットワークを利用した情報提供方法である。
【０００６】
本発明はこの手段により、ＩＤコードを冊子体に外見不能に設けることで冊子体の読者のみにＩＤコードを知らせることを可能とし、ＩＤコードの正否を判断するプログラムを設けることでＩＤコードを知るもののみに情報データのダウンロードを可能とし、同時に前記ＩＤコードを無効とすることでこのＩＤコードにより１回だけ情報データをダウンロードすることが可能となる。これにより、読者のみに１回だけ情報をダウンロードさせる冊子体とネットワークを利用した情報提供方法を得ることが可能となる。
【０００７】
また請求項２記載の発明は、１つごとに個別に選択されたＩＤコードを添付物に設けると同時に前記ＩＤコードのデータベースを作成し、冊子体に前記添付物を外見不能に綴じ込むか封入し、ネットワーク上のサーバーに情報データと、前記ＩＤコードのデータベースと、前記ＩＤコードの入力を受け前記ＩＤコードの正否を判断して前記情報データをダウンロードさせダウンロードと同時に前記ＩＤコードを無効にするプログラムとを設けてなることを特徴とする冊子体とネットワークを利用した情報提供方法である。
【０００８】
本発明はこの手段により、ＩＤコードを添付物に設けることにより、より容易に１冊ごとに個別に選択したＩＤコードを設けることと同時にＩＤコードのデータベースを作成することが容易なものとなる。
【０００９】
また請求項３記載の発明は、冊子体に、１冊ごとに個別に選択されたＩＤコードを外見不能に設けると同時に前記ＩＤコードのデータベースを作成し、ネットワーク上のサーバーに前記ＩＤコードのデータベースと、前記ＩＤコードの入力を受け前記ＩＤコードの正否を判断して応募者のデータを入力させ前記ＩＤコードのデータベースに応募者のデータを追加すると同時に前記ＩＤコードを無効にするプログラムとを設けてなることを特用とする冊子体とネットワークを利用した募集方法である。
【００１０】
本発明はこの手段により、ＩＤコードを冊子体に外見不能に設けることで冊子体の読者のみにＩＤコードを知らせることを可能とし、ＩＤコードの正否を判断するプログラムを設けることでＩＤコードを知るものに対してのみ募集を行なうことを可能とし、同時に前記ＩＤコードを無効とすることでこのＩＤコードにより１回だけ応募させることが可能となる。これにより、読者のみに１回だけ応募可能な、冊子体とネットワークを利用した応募方法を得ることが可能となる。
【００１１】
また請求項４記載の発明は、１つごとに個別に選択されたＩＤコードを添付物に設けると同時に前記ＩＤコードのデータベースを作成し、冊子体に前記添付物を外見不能に綴じ込むか封入し、ネットワーク上のサーバーに前記ＩＤコードのデータベースと、前記ＩＤコードの入力を受け前記ＩＤコードの正否を判断して応募者のデータを入力させ前記ＩＤコードのデータベースに応募者のデータを追加すると同時に前記ＩＤコードを無効にするプログラムとを設けてなることを特用とする冊子体とネットワークを利用した募集方法である。
【００１２】
本発明はこの手段により、ＩＤコードを添付物に設けることにより、より容易に１冊ごとに個別に選択したＩＤコードを設けることと同時にＩＤコードのデータベースを作成することが容易なものとなる。
【００１３】
また請求項５記載の発明は、冊子体に、１冊ごとに個別に選択されたＩＤコードを外見不能に設けると同時に前記ＩＤコードのデータベースを作成し、ネットワーク上のサーバーに情報データと、前記ＩＤコードのデータベースと、前記ＩＤコードの入力を受け前記ＩＤコードの正否を判断して前記情報データをダウンロードさせダウンロードと同時に前記ＩＤコードを無効にし続いて応募者のデータを入力させ前記ＩＤコードのデータベースに応募者のデータを追加するプログラムとを設けてなることを特徴とする冊子体とネットワークを利用した情報提供方法および募集方法である。
【００１４】
本発明はこの手段により、情報提供方法と募集方法を兼ねることで、ＩＤコードの入力とＩＤコードの無効の処理を１回で行なうことが可能となる。
【００１５】
また請求項６記載の発明は、１つごとに個別に選択されたＩＤコードを添付物に設けると同時に前記ＩＤコードのデータベースを作成し、冊子体に前記添付物を外見不能に綴じ込むか封入し、ネットワーク上のサーバーに情報データと、前記ＩＤコードのデータベースと、前記ＩＤコードの入力を受け前記ＩＤコードの正否を判断して前記情報データをダウンロードさせダウンロードと同時に前記ＩＤコードを無効にし続いて応募者のデータを入力させ前記ＩＤコードのデータベースに応募者のデータを追加するプログラムとを設けてなることを特徴とする冊子体とネットワークを利用した情報提供方法および募集方法である。
【００１６】
本発明はこの手段により、ＩＤコードを添付物に設けることにより、より容易に１冊ごとに個別に選択したＩＤコードを設けることと同時にＩＤコードのデータベースを作成することが容易なものとなる。
【００１７】
また請求項７記載の発明は、前記情報データは複数であって、前記プログラムはいくつかの情報データから選択させることが可能であることであることを特徴とする請求項１、２、５、６のいずれか記載の冊子体とネットワークを利用した情報提供方法である。
【００１８】
本発明はこの手段により、複数の冊子体を得ることで複数の情報データを得ることが可能となる。
【００１９】
また請求項８記載の発明は、前記応募されるものは複数であって、前記プログラムはいくつかの応募されるものから選択させることが可能であることを特徴とする請求項３〜６のいずれか記載の冊子体とネットワークを利用した情報提供方法および募集方法である。
【００２０】
本発明はこの手段により、複数の冊子体を得ることで複数の情報データを得ることが可能となるかまたは複数の募集に応募することが可能となる。
【００２１】
【発明の実施の形態】
以下、本発明を図面に基づき詳細に説明する。
図１に本発明における冊子体の構造の一例を示す。図１において冊子体は中綴じ本であり、中心頁に袋綴の折丁を綴じ込んでなり、ここに表側にタレント等の絵柄、裏側にＩＤコードとネットワークに接続するためのメールアドレスが記載されている。
【００２２】
本発明における冊子体としては、特には定期購読誌であって読者への情報発信等が有効な週刊誌などが好適であるが、特にこれに限定されるものではなく雑誌、書籍、パンフレット等など適宜適用可能である。
【００２３】
本発明におけるＩＤコードとしては、数桁の英数字からなり、ランダムに設けられたものであって、冊子体１つに１つを選択したものであり、ランダムに入力しても外れる可能性が高い程度に冊子体発行部数に比して多い桁数を有するものであれば好適であるが、特にこれに限定されるものではない。
【００２４】
本発明における冊子体にＩＤコードを外見不能に設ける方法としては、袋綴じの折丁を綴じ込みその内部に印刷するなどの構造を設けるか、ＩＤコードの印刷上にスクラッチ印刷などの隠蔽を施すなどの方法が好適であるが、特にこれに限定するものではなく、店頭等で見開いた程度で簡単に外見不能とならないよう設けられたものであれば適用可能である。
【００２５】
本発明におけるＩＤコードのデータベースとしては、上記により設けられたＩＤコードをリレーション型データベースのコードとして設け、後述する選択された情報データや選択された募集内容、応募者の情報等を追記できるものが好ましいが、特にこれに限定するものではなく、ＩＤコードの正否が確認できるようにプログラムに適用できるものであれば適用可能である。
【００２６】
本発明におけるプログラムとしては、ネットワークに接続した端末より入力されたＩＤコードを読み取り、ＩＤコードのデータベースと対比して有効であれば該当ＩＤコードが有効な場合のみ接続可能なサイトに接続させ、そのサイトより情報データのダウンロードや応募の入力を読み取り、その処理と同時に該当ＩＤを無効とするものが挙げられるが、とくにこの例に限定するものではなく、適用可能である。
【００２７】
本発明における添付物としては、トレーディングカードなどの紙片等印刷物、写真、フィルムなどが挙げられ、これらの裏面などにＩＤコードをデータベースを作成と同時に１枚ごとに個別に印刷可能な印刷機により印刷を施すことにより可能であるが、特にこれらに限定されるものではなく、情報記録媒体としてこれに読み出し可能に記録することであっても良い。
【００２８】
図２以降によりに本発明の情報提供方法および募集方法の一例を示す。なお図面は電話回線によりネットワークに接続可能な携帯端末の画面による入力を例に挙げているが、特にこれに限定するものではなく、ネットワークに接続したパーソナルコンピュータ等卓上端末であってもよい。
冊子体よりＩＤコードと共に接続の為のメールアドレスを与える。読者はこのメールアドレスに題名、本文なしの空メールを送り、これに返信のメールによりＩＤコードを入力するＵＲＬを送信する。読者はこのＵＲＬを選択することで、ＩＤコードを入力するＵＲＬに接続が可能となる。冊子体にＵＲＬを記載して読者にＵＲＬを入力させる方法でも良いが、セキュリティ性やＵＲＬの入力が不便である。よって上記のように簡単なメールアドレスの入力ですむ方法が好ましいが、特にこれに限定するものではない。
【００２９】
次に図３に示すようにＩＤコードを入力させる。
ここでＩＤコードを読み取り、ＩＤコードのデータベースと対比して有効であれば該当ＩＤコードが有効な場合のみ接続可能なサイトに接続させる。ここでは情報データとして壁紙画像とし、その種類をタレントの名前別に選択可能としたものであり、これにより図４に示すように画像のサイズを選択することでダウンロードを行ない、同時に該当ＩＤコードを無効とする。処理が完了すると注意を示す画面と共に応募へと進むことが可能となる。
【００３０】
続いて図５に示すように複数の応募できるものが選択される。ここではオリジナルプリントの発送であり、その種類をタレントの名前別に選択可能としたものであり、これにより送付先入力により読者の情報を入力し、応募が完了するとともに読書の情報がデータベースに追加される。また読者の要望により、ここで同意しないという選択を設けることでデータベースに追加する情報を制限することが可能となる。このようなプログラムを適宜設けても良い。
【００３１】
【発明の効果】
以上に示したように本発明の請求項１記載の発明により、ＩＤコードを冊子体に外見不能に設けることで冊子体の読者のみにＩＤコードを知らせることを可能とし、ＩＤコードの正否を判断するプログラムを設けることでＩＤコードを知るもののみに情報データのダウンロードを可能とし、同時に前記ＩＤコードを無効とすることでこのＩＤコードにより１回だけ情報データをダウンロードすることが可能となる。これにより、読者のみに１回だけ情報をダウンロードさせる冊子体とネットワークを利用した情報提供方法を得ることが可能となるという作用効果を奏する。
【００３２】
また請求項２記載の発明により、ＩＤコードを添付物に設けることにより、より容易に１冊ごとに個別に選択したＩＤコードを設けることと同時にＩＤコードのデータベースを作成することが容易なものとなるという作用効果を奏する。
【００３３】
また請求項３記載の発明により、ＩＤコードを冊子体に外見不能に設けることで冊子体の読者のみにＩＤコードを知らせることを可能とし、ＩＤコードの正否を判断するプログラムを設けることでＩＤコードを知るものに対してのみ募集を行なうことを可能とし、同時に前記ＩＤコードを無効とすることでこのＩＤコードにより１回だけ応募させることが可能となる。これにより、読者のみに１回だけ応募可能な、冊子体とネットワークを利用した応募方法を得ることが可能となるという作用効果を奏する。
【００３４】
また請求項４記載の発明により、ＩＤコードを添付物に設けることにより、より容易に１冊ごとに個別に選択したＩＤコードを設けることと同時にＩＤコードのデータベースを作成することが容易なものとなるという作用効果を奏する。
【００３５】
また請求項５記載の発明により、情報提供方法と募集方法を兼ねることで、ＩＤコードの入力とＩＤコードの無効の処理を１回で行なうことが可能となるという作用効果を奏する。
【００３６】
また請求項６記載の発明により、ＩＤコードを添付物に設けることにより、より容易に１冊ごとに個別に選択したＩＤコードを設けることと同時にＩＤコードのデータベースを作成することが容易なものとなるという作用効果を奏する。
【００３７】
また請求項７記載の発明により、複数の冊子体を得ることで複数の情報データを得ることが可能となるという作用効果を奏する。
【００３８】
また請求項８記載の発明により、複数の冊子体を得ることで複数の情報データを得ることが可能となるかまたは複数の募集に応募することが可能となるという作用効果を奏する。
【図面の簡単な説明】
【図１】本発明における冊子体および添付物の一実施例の構造を示す説明図である。
【図２】本発明の情報提供方法および募集方法の一実施例を示す説明図である。
【図３】本発明の情報提供方法および募集方法の一実施例を示す説明図である。
【図４】本発明の情報提供方法および募集方法の一実施例を示す説明図である。
【図５】本発明の情報提供方法および募集方法の一実施例を示す説明図である。
【図１】
2004192102.tif 000003
【図２】
2004192102.tif 000004
【図３】
2004192102.tif 000005
【図４】
2004192102.tif 000006
【図５】
2004192102.tif 000007